(57)【要約】【課題】移動プレートを含む移動部材の重量や慣性モーメントを大きくすることなく、リングタイプロードセルの脱着が容易な２プレート式射出装置を提供する。【解決手段】一対のボールねじ機構２０、２１のボールねじ軸２０ａ、２１ａが、それぞれ、固定プレート２に回転可能に支持され、ボールねじ軸２０ａ、２１ａと組み合わされるボールねじナット２０ｂ、２１ｂが、それぞれ、移動プレート３を前後に貫通するボールねじナット収納貫通孔３ａ、３ｂに収納されると共に、ボールねじナットの少なくとも一方が、ボールねじナット収納貫通孔に収納された状態で、移動プレート３の後方に固定されたリングタイプロードセルを介して、移動プレート３に支持されることを特徴とする２プレート式射出装置１０によって達成される。【選択図】図１
2020037213.tif 000002
【特許請求の範囲】
【請求項１】
固定プレートと、該固定プレートの前方に配置されるシリンダバレルと、該固定プレートの後方において、該固定プレートに対して進退可能に設けられた移動プレートと、該移動プレートを前記固定プレートに対して進退させる一対のボールねじ機構と、該一対のボールねじ機構を駆動する射出モータと、軸を中心として回転可能な状態で前記移動プレートに支持されたスクリュと、該スクリュを回転させる計量モータとを備え、前記移動プレートを前記固定プレートに対して進退させることで前記スクリュが前記シリンダバレル内を進退可能な２プレート式射出装置であって、
前記一対のボールねじ機構のボールねじ軸が、それぞれ、前記固定プレートに回転可能に支持され、
前記ボールねじ軸と組み合わされるボールねじナットが、それぞれ、前記移動プレートを前後に貫通するボールねじナット収納貫通孔に収納されると共に、
前記ボールねじナットの少なくとも一方が、前記ボールねじナット収納貫通孔に収納された状態で、前記移動プレートの後方に固定されたリングタイプロードセルを介して、前記移動プレートに支持される
ことを特徴とする２プレート式射出装置。
【請求項２】
前記固定プレートの前記シリンダバレル側に貫通させた前記ボールねじ軸端部、及び、前記固定プレートに配置された少なくとも１つの前記射出モータの出力軸間にボールねじ軸回転伝達手段が配置され、前記ボールねじ軸が回転される
ことを特徴とする請求項１に記載の２プレート式射出装置。
【発明の詳細な説明】
【技術分野】
【０００１】
本発明は、射出成形に用いられる２プレート式射出装置に関する。
【背景技術】
【０００２】
射出成形機のインラインスクリュ式射出装置は、固定プレートと、該固定プレートに対して進退可能に設けられた移動プレートと、軸を中心として回転可能な状態で移動プレートに支持されたスクリュと、該スクリュが回転可能に、且つ、軸方向に進退可能に収納されるシリンダバレルとを備え、移動プレートを固定プレートに対して進退させることで、スクリュがシリンダバレル内で回転可能、且つ、進退可能な射出装置である。
【０００３】
上記のようなインラインスクリュ式射出装置は、固定プレートに対して移動プレートを進退可能にする構成により、大きく２つに分類される。１つは、特許文献１や特許文献２に開示されているような２プレート式射出装置である。この２プレート式射出装置は、固定プレートに対して移動プレートを進退させるための駆動手段（電動モータ等）と、スクリュを回転させる駆動手段（電動モータ等）と、を備え、固定プレート及び移動プレート間にボールねじ機構等の移動プレート進退機構を配置させる構成が主流である。
【０００４】
もう１つは３プレート式射出装置である。この３プレート式射出装置は、固定プレート及びリアプレートがタイバー等、複数の連結部材で連結され、両プレート間に進退可能に配置された移動プレートが、固定プレート（又は移動プレート）及びリアプレート間に配置されるボールねじ機構等の移動プレート進退機構により、固定プレートに対して移動プレートを進退させる構成が主流である。
【０００５】
前者の２プレート式射出装置は、リアプレートが不要で、移動プレート進退機構が固定プレート及び移動プレート間に配置されるため、後者の３プレート式射出装置に対して、射出装置全長が短く構成できる。そのため、小型の射出装置や、射出成形機の設置スペースに制約がある場合等に採用される。一方、特に射出装置の大きさの制約や、設置スペースに上記のような制約がない場合は３プレート式射出装置が採用されることが多い。
【０００６】
そして、インラインスクリュ式射出装置では、２プレート式、３プレート式によらず、射出装置後方のホッパー等、樹脂材料供給部から供給された樹脂材料（ペレット状）を、スクリュを回転させてシリンダバレル先端（前方）の貯留部に流動させる間に溶融（可塑化）させ、１回の射出充填工程に必要な溶融樹脂を貯留部に貯留させる計量工程が行われる。この計量工程においては、貯留部の溶融樹脂に所定の圧力（背圧）を付与させる。
【０００７】
計量工程完了後、貯留部に貯留させた溶融樹脂を、スクリュを前進させて一気に金型内に充填させる射出充填工程が行われる。これら計量工程における背圧や、射出充填工程における射出圧力を制御するために、スクリュの回転軸や移動プレート進退機構の構成部材に作用するスクリュの軸方向の力を、貯留部の溶融樹脂圧力として計測する樹脂圧力計測手段が配置される。
【０００８】
固定プレートに対して移動プレートを進退させる駆動手段や、スクリュを回転させる駆動手段がサーボモータである場合、サーボモータが備えるトルク計測・制御機能を利用して、先の樹脂圧力計測手段の代替とすることも可能である。一方、スクリュの回転軸や移動プレート進退機構の構成部材に作用するスクリュの軸方向の力を直接計測する樹脂圧力計測手段の方が、より正確に貯留部の溶融樹脂圧力を計測することができるとされている。
【０００９】
例えば、特許文献１及び特許文献２の射出装置は共に２プレート式射出装置であって、移動プレート進退機構としてボールねじ機構が採用されている。そして、特許文献１の射出装置には、該ボールねじ機構のボールねじナットが、樹脂圧力計測手段であるロードセルを介して固定プレートに支持される形態が開示されている（特許文献１／図１）。また、特許文献２の射出装置には、該ボールねじ機構のボールねじナットが、樹脂圧力計測手段であるロードセルを介して移動プレートに支持される形態が開示されている（特許文献２／図２）。
【先行技術文献】
【特許文献】
【００１０】
【特許文献１】特開２０１７−０９４６８１号公報
【特許文献２】特開２０１２−１９６８２８号公報
【発明の概要】
【発明が解決しようとする課題】
【００１１】
圧力計測手段として採用されるロードセルは、ロードセル自体の受圧方向の弾性変形量を、内蔵した歪みゲージ等の歪み計測手段により計測する構成が一般的である。受圧方向として、圧縮型、引張型、両兼用型等があり、ロードセルが配置される個所で計測する圧力及びその作用方向により適宜選択される。一方、射出装置の樹脂圧力計測手段として採用されるロードセルは、特許文献１や特許文献２のような装着個所を鑑み、円盤状で且つ中央部分に厚み方向に貫通する開口を備える形状で、受圧方向が同円盤状の厚み方向となる形態のものが多い。これら形状をリングあるいはワッシャー等と呼称するが、本願においてはリングタイプロードセルと呼称するものとする。
【００１２】
特許文献１の射出装置（特許文献１／図１）では、ボールねじ軸と組み合わされるボールねじナットが、固定プレートを前後に貫通する貫通孔に収納されると共に、ボールねじナットが、該貫通孔に収納された状態で、固定プレートの前方に固定されたリングタイプロードセルを介して、固定プレートに支持される。例えば、移動プレート側で射出モータによりボールねじ軸を回転させ移動プレート（スクリュ）を前進、あるいは後退させると、移動プレートの前進・後退に伴い、リングタイプロードセルの開口部を介してボールねじ軸も固定プレートに対して前進・後退する。計量工程や射出充填工程における貯留部の溶融樹脂圧力は、スクリュ、移動プレート、ボールねじ軸及びボールねじナットを介して、固定プレートに固定されたリングタイプロードセルに作用するため、これを計測する。
【００１３】
また、特許文献２の射出装置（特許文献２／図２）では、ボールねじ軸と組み合わされるボールねじナットが、移動プレートの後方に固定されたリングタイプロードセルを介して、後方に突出するように移動プレートに支持される。例えば、固定プレート側で射出モータによりボールねじ軸を回転させ移動プレート（スクリュ）及びボールねじナットを前進、あるいは後退させると、ボールねじナットに螺合するボールネジ軸は、リングタイプロードセルの開口部を貫通した状態で回転するため、移動プレートの前進・後退の支障にはならない。計量工程や射出充填工程における貯留部の溶融樹脂圧力は、スクリュ、移動プレート及びボールねじナットを介して、移動プレートに固定されたリングタイプロードセルに作用するため、これを計測する。
【００１４】
特許文献１の射出装置においては、上記のようなリングタイプロードセルの配置により、ボールねじ軸からボールねじナットを取り外すことなく、リングタイプロードセルの取外しが可能であるとしている（特許文献１の明細書の段落［００３８］他）。しかしながら、この構成の場合、固定プレート側で、ボールねじナット及びボールねじ軸のいずれをも回転駆動させることが困難である。その結果、射出モータを移動プレートに取り付けざるを得ず、射出モータ及び、スクリュを回転駆動させる計量モータの両モータが移動プレートに配置される。そのため、特許文献２の射出装置のように、射出モータが固定プレートに、計量モータが移動プレートに配置される形態に対して、計量工程時及び射出充填工程時に、固定プレートに対して進退させる移動プレートを含む移動部材の重量や、該移動部材の慣性モーメントが大きくなるため、計量工程時におけるスクリュの後退動作時の背圧や、射出充填工程におけるスクリュの射出速度や射出圧力の制御性に影響を与える。
【００１５】
一方、射出装置を基礎等に強固に固定・支持できる形態であれば、この影響や悪循環はある程度抑制することが可能である。しかしながら、メインの射出装置とは別のサブの射出装置を射出成形機の型締装置（固定盤や可動盤等）や金型に、垂直あるいは水平固定等様々な取付姿勢で固定させる形態の場合、射出装置の全重量に対する移動部材の重量や慣性モーメントの割合が、メインの射出装置の割合よりも大きくならざるを得ない。この傾向は射出装置が小型であればあるほど顕著になり、計量工程における背圧の制御や、射出充填工程における射出速度や射出圧力の制御性への影響は無視出来ないものとなる。また、射出装置の支持形態の制約により、これら移動部材の重量や慣性モーメントを、射出装置の制御性に影響を与えることなく支持する支持剛性の確保が難しい場合がある。
【００１６】
一方、特許文献２の射出装置においては、上記のようなリングタイプロードセルの配置により、ボールねじ軸からボールねじナットを取り外すことなく、リングタイプロードセルを移動プレートの後方から取り外すことが出来ない。一般的に、ボールねじ軸からボールねじナットをそのまま取り外すと、ボールねじナット内のボールが脱落して使用出来なくなる。そのため、ボールねじ軸からボールねじナットを取り外す場合は、専用の取り外し治具（仮軸やスリーブ等）が必要とされている。すなわち、特許文献２の射出装置において、リングタイプロードセルを移動プレートの後方から取り外したり、新たに取り付けたりする場合、専用の取り外し治具を使用して、ボールねじ軸からボールねじナットを取り外すか、ボールねじ軸及びボールねじナットからなるボールねじ機構一式を射出装置から取り外す必要がある。その結果、メンテナンスや故障による交換のため、リングタイプロードセルを射出装置に対して脱着する場合に手間と時間を要するという問題がある。
【００１７】
本発明は、上記したような問題点に鑑みてなされたもので、移動プレートを含む移動部材の重量や慣性モーメントを大きくすることなく、リングタイプロードセルの脱着が容易な２プレート式射出装置を提供することを目的とする。
【課題を解決するための手段】
【００１８】
本発明の上記目的は、固定プレートと、該固定プレートの前方に配置されるシリンダバレルと、該固定プレートの後方において、該固定プレートに対して進退可能に設けられた移動プレートと、該移動プレートを前記固定プレートに対して進退させる一対のボールねじ機構と、該一対のボールねじ機構を駆動する射出モータと、軸を中心として回転可能な状態で前記移動プレートに支持されたスクリュと、該スクリュを回転させる計量モータとを備え、前記移動プレートを前記固定プレートに対して進退させることで前記スクリュが前記シリンダバレル内を進退可能な２プレート式射出装置であって、
前記一対のボールねじ機構のボールねじ軸が、それぞれ、前記固定プレートに回転可能に支持され、
前記ボールねじ軸と組み合わされるボールねじナットが、それぞれ、前記移動プレートを前後に貫通するボールねじナット収納貫通孔に収納されると共に、
前記ボールねじナットの少なくとも一方が、前記ボールねじナット収納貫通孔に収納された状態で、前記移動プレートの後方に固定されたリングタイプロードセルを介して、前記移動プレートに支持されることを特徴とする２プレート式射出装置によって達成される。
【００１９】
このような２プレート式射出装置は、前記固定プレートの前記シリンダバレル側に貫通させた前記ボールねじ軸端部、及び、前記固定プレートに配置された少なくとも１つの前記射出モータの出力軸間にボールねじ軸回転伝達手段が配置され、前記ボールねじ軸が回転されることが好ましい。
【発明の効果】
【００２０】
本発明に係る２プレート式射出装置は、固定プレートと、該固定プレートの前方に配置されるシリンダバレルと、該固定プレートの後方において、該固定プレートに対して進退可能に設けられた移動プレートと、該移動プレートを前記固定プレートに対して進退させる一対のボールねじ機構と、該一対のボールねじ機構を駆動する射出モータと、軸を中心として回転可能な状態で前記移動プレートに支持されたスクリュと、該スクリュを回転させる計量モータとを備え、前記移動プレートを前記固定プレートに対して進退させることで前記スクリュが前記シリンダバレル内を進退可能な２プレート式射出装置であって、
前記一対のボールねじ機構のボールねじ軸が、それぞれ、前記固定プレートに回転可能に支持され、
前記ボールねじ軸と組み合わされるボールねじナットが、それぞれ、前記移動プレートを前後に貫通するボールねじナット収納貫通孔に収納されると共に、
前記ボールねじナットの少なくとも一方が、前記ボールねじナット収納貫通孔に収納された状態で、前記移動プレートの後方に固定されたリングタイプロードセルを介して、前記移動プレートに支持されるため、移動プレートを含む移動部材の重量や慣性モーメントを大きくすることなく、リングタイプロードセルの脱着が容易である。
【図面の簡単な説明】
【００２１】
【図１】第１実施形態に係る２プレート式射出装置の概略平面図である。
【発明を実施するための形態】
【００２２】
以下、本発明を実施するための形態について、添付図面を参照しながら詳細に説明する。
【００２３】
［第１実施形態］
図１を参照しながら本発明の第１実施形態に係る２プレート式射出装置を説明する。図１は、第１実施形態に係る２プレート式射出装置の概略平面図（一部断面を含む）であり、後述するスクリュ４及び移動プレート３が後退限位置（計量完了位置）にある状態を示す。また、図１中に、２点鎖線にて、前進限位置（射出完了位置）にあるスクリュ４及び移動プレート３の一部を図示している。図１の左側を前方、右側を後方、図１の手前を上方とする。尚、図１は平面図と呼称しているが、本発明の第１実施形態に係る２プレート式射出装置の構成の説明に好適な図示を平面図と呼称したものであって、本発明に係る２プレート式射出装置の射出成形機への取付姿勢を基準に平面図と呼称するものではない。本発明に係る２プレート式射出装置は、スクリュが回転される軸方向を基準に、射出成形機に対して、垂直、水平あるいはそれ以外の様々な角度となる取付姿勢で取り付けられても良い。
【００２４】
図１に示すように、本発明の第１実施形態に係る２プレート式射出装置１０は、固定プレート２と、固定プレート２の前方に配置されるシリンダバレル１１と、固定プレート２の後方において、固定プレート２に対して進退可能に設けられた移動プレート３と、移動プレート３を固定プレート２に対して進退させる一対のボールねじ機構２０、２１と、一対のボールねじ機構２０、２１を駆動する射出モータ３１、３２と、スクリュ回転支持部４ａにより、軸を中心として回転可能な状態で移動プレート３に支持されたスクリュ４と、軸を中心としてスクリュ４を回転させる計量モータ４１と、を備えている。
【００２５】
スクリュ回転支部部４ａは、ラジアルベアリング及びスラストベアリング、あるいはそれぞれを複数個組み合わせた公知の回転支持形態が採用されれば良い。また、スクリュ４のメンテナンスや交換時のスクリュ脱着を鑑み、スクリュ回転支部部４ａにより回転支持される回転軸部をスクリュ４の回転軸部と別体として、両回転軸部が脱着可能に構成されても良い。尚、移動プレート３を固定プレート２に対して進退させる際のガイド機構については、ベース部材に配置される直動ガイドや、固定プレートから後方に立設させるガイドロッド等、公知のガイド機構が採用されれば良い。図を簡単にするため、このようなベース部材やガイド機構の図視は省略している。
【００２６】
そして、一対のボールねじ機構２０、２１のボールねじ軸２０ａ、２１ａが、それぞれ、ボールねじ軸回転支持部２４により固定プレート２に回転可能に支持され、ボールねじ軸２０ａ、２１ａと組み合わされるボールねじナット２０ｂ、２１ｂが、それぞれ、移動プレート３を前後に貫通するボールねじナット収納貫通孔３ａ、３ｂに収納されると共に、ボールねじナット２０ｂ、２１ｂが、ボールねじナット収納貫通孔３ａ、３ｂに収納された状態で、移動プレート３の後方に固定されたリングタイプロードセル５０、５１を介して、移動プレート３に支持される。
【００２７】
具体的には、リングタイプロードセル５０、５１は、外周側に加工されたボルト用穴を介して、予め固定位置対応して雌ねじ加工が成された移動プレート３の後方（後面）から、図示しないボルトにより固定される。一方、ボールねじナット２０ｂ、２１ｂの後方（後面）には、予め、リングタイプロードセル５０、５１の内周側に加工されたボルト用穴に対応する雌ねじ加工がなされ、ボールねじナット２０ｂ、２１ｂの後方（後面）が、リングタイプロードセル５０、５１の前方（前面）に、リングタイプロードセル５０、５１の後方（後面）から図示しないボルトにより固定される。その結果、ボールねじナット２０ｂ、２１ｂは、ボールねじナット収納貫通孔３ａ、３ｂに収納された状態で、移動プレート３の後方に固定されたリングタイプロードセル５０、５１を介して、移動プレート３に支持される。
【００２８】
また、固定プレート２のシリンダバレル１１側に貫通させたボールねじ軸２０ａ、２１ａ端部、及び、固定プレート２に配置された射出モータ３１、３２の出力軸間にボールねじ軸回転伝達手段３１ａ、３２ａが配置され、ボールねじ軸２０ａ、２１ａが回転駆動される。第１実施形態においては、ボールねじ軸回転伝達手段３１ａ、３２ａを、ボールねじ軸２０ａ、２１ａ端部、及び、射出モータ３１、３２の出力軸に配置させたプーリ及び両プーリ間を連結させるベルトの組み合わせとしたが、これに限定されず、公知の回転伝達手段が採用されても良い。さらに、図１において、図示される構成の重複を回避するため、射出モータ３１、３２が固定プレート２の上方の両端に配置されるように図示したが、射出モータ３１、３２は、固定プレート２の上方の中央に並べて配置されても良いし、固定プレート２の上方ではなく、固定プレート２に貫通させるように配置されても良い。
【００２９】
ここで、スクリュ４の軸に回転運動を伝達させるスクリュ軸回転伝達手段４ｂが、移動プレート３の前方に配置される。第１実施形態においては、スクリュ軸回転伝達手段４ｂを、スクリュ４の軸及び図示しない計量モータ４１の出力軸に配置させたプーリ及び両プーリ間を連結させるベルトの組み合わせとしたが、これに限定されず、公知の回転伝達手段が採用されても良い。計量モータ４１は、スクリュ４を、スクリュ軸回転伝達手段４ｂを介して回転駆動させることが出来れば、移動プレート３のいずれの位置に配置されても良いが、特に制約が無ければ、スクリュ４の軸の直上が好ましい。図１においては、図示される構成の重複を回避するため、計量モータ４１及び同モータの出力軸のプーリの図示を割愛し、スクリュ４の軸に配置させたプーリ及びベルトの一部のみ図示している。
【００３０】
次に、本発明の第１実施形態に係る２プレート式射出装置１０における、リングタイプロードセル５０、５１による、計量工程における背圧の制御や、射出充填工程における射出圧力の制御に必要な、貯留部の溶融樹脂圧力の計測について説明する。
【００３１】
まず、計量工程においては、貯留部の溶融樹脂容積の増加に伴い、後方への溶融樹脂圧力が作用するスクリュを後退させて、貯留部の溶融樹脂に所定の圧力（背圧）を付与させた状態で、１回の射出充填工程に必要な溶融樹脂を貯留部に貯留させる。
【００３２】
そして、射出充填工程においては、射出モータ３１、３２によりボールねじ軸２０ａ、２１ａを回転駆動させ、ボールねじナット２０ｂ、２１ｂ及びリングタイプロードセル５０、５１を介して移動プレート３を固定プレート２側へ接近する方向に前進させる。この時、前進するスクリュは、シリンダバレル１１の前方のノズル側から貯留部の溶融樹脂を前方（金型）へ押し出す（射出）と共に、その反力（射出圧力）を受ける。この反力は移動プレート３及びリングタイプロードセル５０、５１を介して、ボールねじナット２０ｂ、２１ｂに前進抵抗力として作用する。すなわち、ボールねじナット２０ｂ、２１ｂは、リングタイプロードセル５０、５１を前方（図１の左側）に引く引張力を作用させる。この引張力が、シリンダバレル１１先端の貯留部に貯留される溶融樹脂圧力として計測される。尚、計量工程においても、シリンダバレル１１先端の貯留部に貯留される溶融樹脂圧力（所定の背圧）が、ボールねじナット２０ｂ、２１ｂを介して、リングタイプロードセル５０、５１により計測される。
【００３３】
このように、本発明の第１実施形態に係る２プレート式射出装置１０においては、ボールねじナット２０ｂ、２１ｂが、移動プレート３を前後に貫通するボールねじナット収納貫通孔３ａ、３ｂに収納された状態で、移動プレートの後方に固定されたリングタイプロードセル５０、５１を介して、移動プレート３に支持される。そのため、リングタイプロードセル５０、５１が２プレート式射出装置１０の最後方に配置され、ボールねじ軸２０ａ、２１ａからボールねじナット２０ｂ、２１ｂを取り外すことなくリングタイプロードセル５０、５１が容易に脱着できる。
【００３４】
一方、特許文献２の射出装置においても、リングタイプロードセルが移動プレートの後方に配置される。しかしながら、リングタイプロードセルが移動プレート及びボールねじナット間に配置されているため、ボールねじ軸からボールねじナットを取り外すことなく、リングタイプロードセルを移動プレートの後方から取り外すことが出来ない。
【００３５】
また、本発明の第１実施形態に係る２プレート式射出装置１０においては、射出モータ３１、３２を移動プレート３ではなく固定プレート２に配置させることができるため、特許文献１の射出装置に対して、計量工程時及び射出充填工程時に、固定プレートに対して進退させる移動プレートを含む移動部材の重量や、該移動部材の慣性モーメントを小さくすることができる。この構成により、移動プレートを含む移動部材の重量や慣性モーメントを大きくする必要がなく、計量工程時におけるスクリュの後退動作時の背圧や、射出充填工程におけるスクリュの射出速度の制御性に優れると共に、射出モータに要求される出力も抑制することができる。
【００３６】
ここで、本発明の第１実施形態に係る２プレート式射出装置１０においては、第１実施形態で説明したように、スクリュ４の軸に回転運動を伝達させるスクリュ軸回転伝達手段４ｂが、移動プレート３の前方に配置されることにより、リングタイプロードセル５０、５１が２プレート式射出装置１０の最後方に配置される形態となり、リングタイプロードセル５０、５１の脱着を容易にしている。一方、図示はしていないが、スクリュ４の軸を移動プレート３の後方に貫通させ、該貫通部にスクリュ軸回転伝達手段４ｂが配置される形態、すなわち、スクリュ軸回転伝達手段４ｂが、移動プレート３の後方に配置される形態であっても、スクリュ軸回転伝達手段４ｂ（プーリやベルト等）が、リングタイプロードセル５０、５１の後方への脱着の障害とならないように配置されることにより、リングタイプロードセル５０、５１の脱着の容易性は確保される。
【００３７】
またさらに、本発明の第１実施形態に係る２プレート式射出装置１０においては、ボールねじナット２０ｂ、２１ｂが、移動プレート３を前後に貫通するボールねじナット収納貫通孔３ａ、３ｂに収納された状態で、リングタイプロードセルを介して移動プレート３に支持される。そのため、リングタイプロードセルが移動プレートの後方（移動プレート及びボールねじナット間）に配置され、さらにその後方へ突出すようにボールねじナットが支持される特許文献２の射出装置に対して、スクリュ４（移動プレート３）の進退ストロークが同じ場合、少なくともボールねじナットの全長分、２プレート式射出装置の全長を短くすることができ、これに伴いボールねじ軸の全長も短くすることができる。これは、メインの射出装置とは別のサブの射出装置で、射出装置が小型であればあるほど、特許文献１の射出装置に対して、射出装置の全重量に対する移動部材の重量や慣性モーメントの割合の増加を抑制し、射出装置の支持剛性の確保に好適な形態であり、また、射出装置のコストダウンも期待できる。
【００３８】
以上、発明を実施するための形態について、第１実施形態及び関連する別形態を説明したが、本発明は、上記の実施の形態に限定されることなく、特許請求の範囲に記載された内容を逸脱しない範囲で、色々な形で実施できることは言うまでもない。
【００３９】
例えば、本発明の第１実施形態に係る２プレート式射出装置１０においては、ボールねじ機構２０、２１のボールねじナット２０ｂ、２１ｂの双方が、リングタイプロードセル５０、５１を介して移動プレート３に支持される形態を説明した。しかしながら、図示はしていないが、一方のボールねじナットのみがリングタイプロードセルを介して移動プレート３に支持される形態であっても良い。この場合、他方のボールねじナットは、リングタイプロードセルと同形状のダミーロードセルを介して移動プレート３に支持される。ボールねじ機構２０、２１は基本的に、スクリュ４の軸と平行に且つ同距離離間して配置されるため、それぞれのボールねじ機構に作用するスクリュ４の軸方向の力は均等と見なして良い。そのため、一方のボールねじナット側のリングタイプロードセルで計測される圧力を２倍して、貯留部の溶融樹脂圧力とすれば良い。
【００４０】
あるいは、本発明の第１実施形態に係る２プレート式射出装置１０においては、固定プレート２のシリンダバレル１１側に貫通させたボールねじ軸２０ａ、２１ａ端部、及び、固定プレート２に配置された射出モータ３１、３２の出力軸間にボールねじ軸回転伝達手段３１ａ、３２ａが配置され、ボールねじ軸２０ａ、２１ａが回転駆動される形態を説明した。しかしながら、このように、必ずしも、２つのボールねじ軸それぞれが異なる射出モータにより回転駆動される必要はない。図示はしていないが、２つのボールねじ軸が１つの射出モータで回転駆動されるように、射出モータ及びボールねじ軸回転伝達手段が配置されても良いし、２つのボールねじ軸が２つ以上の射出モータを協働させて回転駆動されるように、射出モータ及び回転伝達手段１が配置されても良い。このように、固定プレートにおけるボールねじ軸の回転駆動形態は、２プレート式射出装置に要求される射出能力や、２プレート式射出装置のサイズに応じて、適宜、好適な形態が採用されれば良い。
【符号の説明】
【００４１】
２  固定プレート、３  移動プレート、３ａ  ボールねじナット収納貫通孔、３ｂ  ボールねじナット収納貫通孔、４  スクリュ、４ａ  スクリュ回転支持部、４ｂ  スクリュ軸回転伝達手段、１０  ２プレート式射出装置、１１  シリンダバレル、２０  ボールねじ機構、２０ａ  ボールねじ軸、２０ｂ  ボールねじナット、２１  ボールねじ機構、２１ａ  ボールねじ軸、２１ｂ  ボールねじナット、２４  ボールねじ軸回転支持部、３１  射出モータ、３１ａ  ボールねじ軸回転伝達手段、３２  射出モータ、３２ａ  ボールねじ軸回転伝達手段、４１  計量モータ、５０  リングタイプロードセル、５１  リングタイプロードセル
【図１】
2020037213.tif 000003